(57)【要約】【課題】利用者の操作を正確に認識することができる入力装置及びプログラムを提供する。【解決手段】入力装置１は、インターフェイス部２の輪郭に沿って設けられた操作部４と、該操作部４の操作を位置データに変換する変換部３と、該変換部３から供給させる前記位置データにより前記インターフェイス部２を操作する制御部５とを備え、該制御部５は、前記操作部４の有効範囲を制御することを特徴とする。【選択図】図１
2014178944.tif 000002
【特許請求の範囲】
【請求項１】
インターフェイス部の輪郭に沿って設けられた操作部と、
該操作部の操作を位置データに変換する変換部と、
該変換部から供給させる前記位置データにより前記インターフェイス部を操作する制御部とを備え、
該制御部は、前記操作部の有効範囲を制御することを特徴とする入力装置。
【請求項２】
請求項１に記載の入力装置において、
前記制御部は、前記操作部に過去に入力された操作に基づいて、前記有効範囲を制限することを特徴とする入力装置。
【請求項３】
請求項１または請求項２に記載の入力装置において、
前記インターフェイス部の姿勢を検出する姿勢センサをさらに備え、
前記制御部は、前記姿勢センサから供給される姿勢データに基づいて、前記有効範囲を制限することを特徴とする入力装置。
【請求項４】
請求項１から請求項３のいずれか一項に記載の入力装置において、
前記操作部は、前記インターフェイス部の輪郭に沿って複数の領域に設けられ、
前記制御部は、前記インターフェイス部に表示されるコンテンツに応じて前記複数の操作部を選択することを特徴とする入力装置。
【請求項５】
請求項１から請求項４のいずれか一項に記載の入力装置において、
前記操作部に沿う領域に、前記操作部の操作内容を表示する操作表示部をさらに備え、
前記制御部は、前記操作表示部の表示内容を制御することを特徴とする入力装置。
【請求項６】
請求項１から請求項５のいずれか一項に記載の入力装置において、
前記操作部は、前記インターフェイス部を含む平面上に設けられていることを特徴とする入力装置。
【請求項７】
請求項１から請求項６のいずれか一項に記載の入力装置において、
前記操作部は、前記インターフェイス部と交差する平面上に設けられていることを特徴とする入力装置。
【請求項８】
コンピュータを、
インターフェイス部の輪郭に沿って設けられた操作部の操作を位置データに変換する変換手段と、
該変換手段から供給させる前記位置データにより前記インターフェイス部を操作する制御手段、
として機能させることを特徴とするプログラム。
【発明の詳細な説明】
【技術分野】
【０００１】
本発明は、入力装置及びプログラムに関する。
【背景技術】
【０００２】
一般に、スマートフォン等の電子機器には、ユーザーインターフェイスとして、ディスプレイ上の所定領域へのアクセスを検出するタッチセンサが設けられているものがある。
例えば、下記の特許文献１に記載された電子機器のように、ディスプレイに設けられたタッチセンサをタッチやスクロールすることで、ディスプレイの表示を変更することが可能とされている。
【先行技術文献】
【特許文献】
【０００３】
【特許文献１】特開２００８−２３３９８５号公報
【発明の概要】
【発明が解決しようとする課題】
【０００４】
しかしながら、ディスプレイにタッチセンサが設けられたものでは、ディスプレイに対するタッチ操作とスクロール操作とが似ているために、タッチ操作により検出するタッチ信号とスクロール操作により検出するスクロール信号とが互いに間違って制御装置に出力される可能性がある。この場合には、利用者がタッチ操作をしたにもかかわらず、スクロール信号が制御装置に出力され、ディスプレイに表示された画像がスクロール操作に対応して所定の方向に移動してしまうことになる。つまり、制御装置が利用者の操作を正確に認識することができないという問題点がある。
【０００５】
本発明は上記の課題を解決するためになされたものであって、利用者の操作を正確に認識することができる入力装置及びプログラムを提供する。
【課題を解決するための手段】
【０００６】
本発明は、上記課題を解決するため、以下の手段を採用する。
すなわち、本発明に係る入力装置は、インターフェイス部の輪郭に沿って設けられた操作部と、該操作部の操作を位置データに変換する変換部と、該変換部から供給させる前記位置データにより前記インターフェイス部を操作する制御部とを備え、該制御部は、前記操作部の有効範囲を制御することを特徴とする。
【０００７】
また、本発明に係るプログラムは、コンピュータを、インターフェイス部の輪郭に沿って設けられた操作部の操作を位置データに変換する変換手段と、該変換手段から供給させる前記位置データにより前記インターフェイス部を操作する制御手段、として機能させることを特徴とする。
【発明の効果】
【０００８】
本発明に係る入力装置及びプログラムによれば、利用者の操作を正確に認識することができる。
【図面の簡単な説明】
【０００９】
【図１】本発明に係る入力装置の最小構成を示す機能ブロック図である。
【図２】本発明に係る入力装置の最小構成を示す斜視図である。
【図３】本発明の第一実施形態に係る入力装置を示す斜視図である。
【図４】本発明の第一実施形態に係る入力装置を示す機能ブロック図である。
【図５】本発明の第一実施形態に係る入力装置におけるフローチャートである。
【図６】本発明の第一実施形態に係る入力装置におけるフローチャートである。
【図７】本発明の第一実施形態に係る入力装置におけるフローチャートである。
【図８】本発明の第一実施形態に係る入力装置におけるフローチャートである。
【図９】本発明の第二実施形態に係る入力装置を示す斜視図である。
【図１０】本発明の第三実施形態に係る入力装置を示す斜視図である。
【図１１】本発明の第三実施形態に係る入力装置を示す機能ブロック図である。
【図１２】本発明の第三実施形態に係る入力装置におけるフローチャートである。
【発明を実施するための形態】
【００１０】
以下、図面を参照して、本発明による入力装置を実施するための最良の形態を説明する。しかし、本発明はこれらの実施例のみに限定されるものではない。
【００１１】
図１は本実施形態に係る入力装置１の最小構成を示す機能ブロック図であり、図２は本実施形態に係る入力装置１の最小構成を示す斜視図である。
図１及び図２に示すように、本発明に係る入力装置１は、少なくともインターフェイス部２の輪郭に沿って設けられた操作部４と、操作部４の操作を位置データに変換する変換部３と、変換部３から供給させる位置データによりインターフェイス部２を操作する制御部５とを備えていればよく、制御部５は、操作部４の有効範囲を制御するものである。
また、入力装置１がプログラムを実行することにより、変換部３と、制御部５とが制御手段（例えばＣＰＵ、Ｃｅｎｔｒａｌ  Ｐｒｏｃｃｅｓｓｉｎｇ  Ｕｎｉｔ）として機能するように構成される。
【００１２】
（第一実施形態）
次に、本発明の第一実施形態に係る入力装置について、スマートフォンを例に挙げて、主に図３から図８を用いて説明する。
【００１３】
この実施形態において、前述した実施形態で用いた部材と同一の部材には同一の符号を付して、その説明を省略する。
【００１４】
図３に示すように、スマートフォン１００は、略直方体状の筐体１０１と、筐体１０１の表面１１１に設けられたインターフェイス部１０２及びこのインターフェイス部１０２の一部の領域に表示された操作表示部１０３と、筐体１０１の側面１１５Ｒに設けられた操作部１０４と、インターフェイス部１０２を操作する制御手段１０５とを有している。
【００１５】
筐体１０１は、略直方体状に形成され、インターフェイス部１０２が設けられた表面１１１と、表面１１１の反対側に配された裏面１１２と、表面１１１の上部と裏面１１２の上部とを連結する上面１１３と、表面１１１の下部と裏面１１２の下部とを連結する下面１１４と、表面１１１の左右側と裏面１１２の左右側を互いに連結する一対の側面１１５Ｒ，１１５Ｌとを有している。
【００１６】
インターフェイス部１０２は、筐体１０１の表面１１１に設けられ、例えば静止画や動画等の画像を表示することができる。このインターフェイス部１０２は、正面視縦長の略矩形状に形成されている。また、インターフェイス部１０２として、例えば液晶ディスプレイ、有機ＥＬディスプレイ等が挙げられる。また、インターフェイス部は操作を検出するタッチセンサを備え、例えば節電式、感圧式、光学式、電波式等の接触センサや、非接触センサ等で構成されている。
【００１７】
操作部１０４は、インターフェイス部１０２の表示内容を操作するものである。この操作部１０４は、インターフェイス部１０２と同様に、操作を検出するタッチセンサを備えている。
【００１８】
操作部１０４は、例えば静電式の接触センサであれば、格子状に配された電極で構成されている。そして、利用者が指で操作部１０４に接触すれば、操作部１０４の電極が静電容量の変化を検知して、操作データとして後述する変換部１２１に出力する。
【００１９】
また、操作部１０４は、インターフェイス部１０２が設けられた表面１１１と交差する側面１１５Ｒ上に、インターフェイス部１０２の輪郭に沿って設けられている。本実施形態では、操作部１０４は、インターフェイス部１０２の上下方向に伸びる長辺１０２Ｒに沿って、筐体１０１の側面１１５Ｒに設けられている。操作部１０４の上下方向の長さは、インターフェイス部１０２の上下方向の長さと略同一とされている。
【００２０】
また、上下方向に伸びる操作部１０４は、後述する制御手段１０５により、利用者による操作が可能とされる有効範囲が制限されている。
【００２１】
操作表示部１０３は、操作部１０４の操作内容を表示するものであって、インターフェイス部１０２の一部に設けられている。本実施形態では、操作表示部１０３は、インターフェイス部１０２の上下方向に伸びる長辺１０２Ｒに沿って、インターフェイス部１０２の内縁に設けられている。
【００２２】
本実施形態では、図３に示すように、操作表示部１０３は、上下方向に伸びる点灯部１０３Ａと、点灯部１０３Ａの上方に位置する部分１０３Ｂと、点灯部１０３Ａの下方に位置する１０３Ｃとで表されている。
【００２３】
ここで、点灯部１０３Ａは、有効範囲であることを示す所定の色（第一色）に点灯している。一方、他の部分１０３Ｂ，１０３Ｃは、無効範囲であることを示す（色１０３Ａの色とは別の色）色（第二色）に点灯している。
【００２４】
つまり、利用者が操作部１０４のうち有効部分１０４Ａを操作すれば、この操作に対応する信号が後述する制御手段１０５に出力される。一方、利用者が操作部１０４のうち有効部分１０４Ａ以外の部分を操作しても、この操作に対応する信号が制御手段１０５に出力されることはない。
【００２５】
また、筐体１０１の上面１１３には、インターフェイス部１０２の姿勢を検出する姿勢センサ１０６が設けられている。姿勢センサ１０６は、例えば、ジャイロスコープや、加速度センサ、磁気センサ等で構成されている。この姿勢センサ１０６は、筐体１０１の姿勢を検知して姿勢データとして、後述する制御手段１０５に出力する。
【００２６】
制御手段１０５は、操作部１０４の操作に基づいて、インターフェイス部１０２を操作している。
以下、制御手段１０５について、その構成を図４に示す制御手段１０５の機能ブロック図を用いて詳細に説明する。
【００２７】
制御手段１０５は、操作部１０４の操作を位置データに変換する変換部１２１と、操作部１０４の有効範囲を設定する有効範囲設定部１２２と、変換部１２１から供給される位置データが有効範囲内であるか否かを判定する有効判定部１２３とを有している。さらに、制御手段１０５は、有効判定部１２３の判定結果に基づいてインターフェイス部１０２を操作する表示制御部１２４と、有効判定部１２３の判定結果に基づいて操作表示部１０３を制御する操作制御部１２５と、変換部１２１から供給される位置データを記録する履歴記録部１２６とを有している。本実施形態では、有効範囲設定部１２２、有効判定部１２３、表示制御部１２４、操作制御部１２５及び履歴記録部１２６が制御部を構成している。
【００２８】
変換部１２１は、操作部１０４から出力された操作データを位置データに変換する。具体的には、操作部１０４から操作データが出力されると、変換部１２１は操作データを利用者が操作部１０４を操作した位置を表す位置データに変換する。そして、変換部１２１は、変換した位置データを有効判定部１２３及び履歴記録部１２６にそれぞれ出力する。なお、位置データは、利用者の指が操作部１０４に接触した点を示す時系列的なデータであったり、操作部１０４の操作領域を示すデータであったり、操作部１０４が操作された方向を示すデータであったりする。
【００２９】
有効範囲設定部１２２は、有効データテーブルＤに格納された有効範囲データを作成、更新する。有効範囲データは、位置データのうち所定の領域を受け付ける範囲を定めたデータである。例えば、データテーブルとして、予め位置データの有効範囲を定めた設定有効テーブルＤ１や、操作部１０４に過去に入力された操作に基づいて位置データの有効範囲を定めた履歴有効テーブルＤ２等が挙げられる。
【００３０】
有効判定部１２３は、有効データテーブルＤに格納された有効範囲データを参照して、有効範囲データと変換部１２１から出力された位置データとを比較して、位置データが有効範囲内であれば、位置データの内容を含む有効データを表示制御部１２４に出力する。一方、位置データが有効範囲外であれば、有効判定部１２３は表示制御部１２４に対して出力しない。
【００３１】
また、有効判定部１２３は、有効データテーブルＤから取得した有効範囲データ及び位置データの内容を含む有効データを操作制御部１２５に出力する。
【００３２】
有効判定部１２３は、上記と同様に、姿勢センサ１０６から出力される姿勢データと有効範囲データとを比較して、姿勢データが有効範囲内であれば、姿勢データの内容を含む有効データを表示制御部１２４に出力する。一方、姿勢データが有効範囲外であれば、有効判定部１２３は表示制御部１２４に対して出力しない。
【００３３】
また、有効判定部１２３は、有効データテーブルＤから取得した有効範囲データ及び姿勢データの内容を含む有効データを操作制御部１２５に出力する。
【００３４】
表示制御部１２４は、有効判定部１２３から有効データが出力された場合には、有効データに含まれる位置データ（又は姿勢データ）の内容に対応した画像情報をインターフェイス部１０２に出力する。このようにして、表示制御部１２４は、有効判定部１２３を経由して変換部１２１から出力された位置データ（又は姿勢データ）に基づいて、インターフェイス部１０２を操作している。また、表示制御部１２４は有効判定部１２３から有効データが出力された場合にのみインターフェイス部１０２に出力することで、表示制御部１２４は操作部１０４に対する操作に対して画像情報を出力する範囲である有効範囲を制御している。
【００３５】
操作制御部１２５は、有効判定部１２３から出力された有効範囲データ及び位置データの内容を含む有効データに基づいて、操作表示部１０３の表示態様を制御する。例えば、操作制御部１２５は、有効範囲データに対応して、操作表示部１０３の有効範囲の部分１０３Ａを第一色点灯させ、有効範囲以外の部分１０３Ｂ，１０３Ｃを第二色に点灯させるデータを操作表示部１０３に出力する。このようにして、操作制御部１２５は、操作部１０４の操作内容を表示する操作表示部１０３の表示内容を制御する。
【００３６】
履歴記録部１２６は、変換部１２１から出力された位置データを、履歴データテーブルＥに出力して、履歴データを更新する。
【００３７】
次に、上記のように構成された制御手段１０５の具体的動作について、図５に示す本実施形態に係る制御手段１０５の動作を示すフローチャートを用いて説明する。
【００３８】
（ステップＳ０１）
表示制御部１２４は、入力装置のオン操作等にともなって、インターフェイス部１０２に画像情報を出力し、インターフェイス部１０２はこれに基づいて画像を表示して、次のステップＳ０２に進む。
【００３９】
（ステップＳ０２）
変換部１２１は、操作部１０４に入力があったかを定期的に判定して、入力があったことを条件として次のステップＳ０３に進む。なお、変換部１２１は操作部１０４の入力があるまで、判定を繰り返す。
【００４０】
（ステップＳ０３）
変換部１２１は、操作部１０４から出力された操作データを位置データに変換して、この位置データを有効判定部１２３に出力して、次のステップＳ０４に進む。
【００４１】
（ステップＳ０４）
有効判定部１２３は、変換部１２１から出力された位置データと有効データテーブルＤに格納された有効範囲データとを比較して、この位置データが有効範囲内であるか否かを判定する。ここで、位置データが有効範囲内であれば、有効判定部１２３は位置データの内容を含む有効データを表示制御部１２４に出力して、次のステップＳ０５に進む。一方、変換部１２１から出力された位置データが有効範囲外であれば、ステップ０２に戻る。
【００４２】
（ステップＳ０５）
表示制御部１２４は、有効判定部１２３から出力された有効データに含まれる位置データの内容に対応した画像情報を、インターフェイス部１０２に出力する。つまり、表示制御部１２４は、位置データに基づいて、操作された態様に応じた画像をインターフェイス部１０２に表示する。このようにして、表示制御部１２４は、インターフェイス部１０２を所定の表示態様で表示する制御をする。
【００４３】
図６は、本発明の実施形態に係る入力装置で、操作表示部１０３の表示態様を制御する場合の処理手順を示すフローチャート図である。
【００４４】
（ステップＳ１１）
上記のステップＳ０１を受けて、変換部１２１は、操作部１０４に入力があったかを定期的に判定して、入力があったことを条件として次のステップＳ１２に進む。なお、変換部１２１は操作部１０４の入力があるまで、判定を繰り返す。
【００４５】
（ステップＳ１２）
有効判定部１２３は、変換部１２１からの入力判定に基づいて、有効データテーブルＤから取得した有効範囲データを操作制御部１２５に出力して、次のステップＳ１３に進む。
【００４６】
（ステップＳ１３）
操作制御部１２５は、有効判定部１２３から出力された有効範囲データに基づいて、操作表示部１０３を所定の表示態様で表示する制御をする。例えば、操作制御部１２５は、有効範囲データに対応して、操作表示部１０３の有効範囲の部分１０３Ａを第一色点灯させ、有効範囲以外の部分１０３Ｂ，１０３Ｃを第二色に点灯させるデータを操作表示部１０３に出力する。
【００４７】
図７は、本発明の実施形態に係る入力装置で、有効データテーブルＤを更新する場合の処理手順を示すフローチャート図である。
【００４８】
（ステップＳ２１）
変換部１２１は、上記のステップＳ０２を受けて、操作部１０４から出力された操作データを位置データに変換して、この位置データを履歴記録部１２６に出力して、次のステップＳ２２に進む。
【００４９】
（ステップＳ２２）
履歴記録部１２６は、変換部１２１から出力された位置データを、履歴データテーブルＥに格納された履歴データに出力して、履歴データを更新して、次のステップＳ２３に進む。
【００５０】
（ステップＳ２３）
有効範囲設定部１２２は、有効データテーブルＤに格納された有効範囲データを更新する所定のタイミングになったか否かを定期的に確認し、所定のタイミングに達したことを条件として次のステップＳ２４に進む。また、有効範囲設定部１２２は、所定のタイミングに達するまで、この確認作業を継続的に行う。
【００５１】
（ステップＳ２４）
有効範囲設定部１２２は、履歴データテーブルＥを参照して有効データテーブルＤに格納された有効範囲データを更新する。
【００５２】
図８は、本発明の実施形態に係る入力装置で、姿勢データに応じてインターフェイス部１０２を制御する場合の処理手順を示すフローチャート図である。
【００５３】
（ステップＳ３１）
有効判定部１２３は、姿勢センサ１０６から出力された姿勢データより、スマートフォン１００の姿勢の変更があったか否かを判定し、姿勢の変更があったことを条件として次のステップＳ３２に進む。一方、姿勢の変更がなかった場合には、再び姿勢センサ１０６から姿勢データが出力された場合に、この判定作業を行う。
【００５４】
（ステップＳ３２）
有効判定部１２３は、姿勢センサ１０６から出力された姿勢データと有効データテーブルＤに格納された有効範囲データとを比較して、この姿勢データが有効範囲内であるか否かを判定する。ここで、姿勢データが有効範囲内であれば、有効判定部１２３は姿勢データの内容を含む有効データを表示制御部１２４に出力して、次のステップＳ３３に進む。一方、姿勢センサ１０６から出力された姿勢データが有効範囲外であれば、ステップ３１に戻る。
【００５５】
（ステップＳ３３）
表示制御部１２４は、有効判定部１２３から出力された有効データに含まれる姿勢データの内容に対応した画像情報を、インターフェイス部１０２に出力する。つまり、表示制御部１２４は、姿勢データに対応する画像をインターフェイス部１０２に表示する。このようにして、表示制御部１２４は、インターフェイス部１０２を所定の表示態様で表示する制御をする。
【００５６】
このように構成されたスマートフォン１００では、操作部１０４は、インターフェイス部１０２に設けられた表面１１１と交差する側面１１５Ｒに設けられている。よって、利用者は、インターフェイス部１０２を直接操作することなく操作部１０４を操作することでインターフェイス部１０２に表示される画像を変更することができる。よって、利用者の指等のインターフェイス部１０２への接触によりインターフェイス部１０２を誤操作することないため、スマートフォン１００は利用者の操作を正確に認識することができる。
【００５７】
また、操作部１０４は、インターフェイス部１０２の長辺１０２Ｒに沿って長く設けられているため、利用者は長辺の長さに相当する長さ分操作することができる。よって、多くの利用者にとって利便性が高い。
【００５８】
その一方で、操作部１０４に有効範囲を定めることができるため、利用者の使用態様等に応じて利用者それぞれにとって最適な有効範囲を設定することができる。よって、操作部１０４を利用者それぞれにとって最適な形態とすることができる。
【００５９】
また、操作表示部１０３がインターフェイス部１０２の一部分に設けられているため、利用者はインターフェイス部１０２を見ながらでも操作表示部１０３を視認することができる。よって、利用者はインターフェイス部１０２を見ながら操作部１０４の有効範囲を確認することができるため、使い勝手を良好とすることができる。
【００６０】
また、履歴記録部１２６が、位置データを履歴データテーブルＥに記録し、有効範囲設定部１２２が履歴データテーブルＥを参照して有効データテーブルＤを更新する。よって、操作部１０４に対する過去の操作に基づいて、操作部１０４の有効範囲を設定することができる。したがって、履歴に基づいて、利用者にとって最適な操作部１０４の有効範囲を設定することができる。
【００６１】
（第二実施形態）
以下、本発明の第二実施形態に係る入力装置ついて、主に図９を参照して説明する。
この実施形態において、前述した実施形態で用いた部材と共通の部材には同一の符号を付して、その説明を省略する。
【００６２】
図９に示すように、本実施形態におけるスマートフォン２００では、操作部２０４は、インターフェイス部２０２を含む平面である表面１１１上に設けられている。
【００６３】
操作部２０４は、インターフェイス部１０２が設けられた表面１１１上に、左右方向に伸びる下側の短辺１１１Ａに沿って設けられている。操作部２０４の左右方向の長さは、インターフェイス部２０２の左右方向の長さと略同一とされている。
【００６４】
操作表示部２０３は、インターフェイス部２０２の左右方向に伸びる下側の短辺２０２Ａに沿って、インターフェイス部２０２の内縁に設けられている。
【００６５】
このように構成されたスマートフォン２００では、操作部２０４がインターフェイス部２０２の一部分に設けられているため、利用者はインターフェイス部２０２を見ながら操作部２０４を操作することができる。よって、利用者はインターフェイス部２０２を見ながら操作部２０４を操作する自分の指の位置を確認することができるため、使い勝手を良好とすることができる。
【００６６】
（第三実施形態）
以下、本発明の第三実施形態に係る入力装置ついて、主に図１０から図１２を参照して説明する。
この実施形態において、前述した実施形態で用いた部材と共通の部材には同一の符号を付して、その説明を省略する。
【００６７】
図１０に示すように、本実施形態におけるスマートフォン３００において、操作部は複数で構成されている。
【００６８】
操作部は、筐体１０１の側面１１５Ｒに設けられた操作部３０４と、筐体１０１の上面１１３に設けられた操作部３０９とで構成されている。図１１に示すように、これらの操作部３０４，３０９は、操作データをそれぞれ変換部１２１に出力する。
【００６９】
操作表示部３０３，３０８は、操作部３０４，３０９にそれぞれ対応して設けられている。詳細には、操作表示部は、筐体１０１の表面１１１に設けられたインターフェイス部３０２の右側に設けられた操作表示部３０３と、インターフェイス部３０２の上側に設けられた操作表示部３０８とで構成されている。つまり、操作表示部３０３は操作部３０４に対応し、操作表示部３０８は操作部３０９に対応して、その有効範囲を表示する。
【００７０】
以下、制御手段１０５について、その構成を図１１に示す制御手段１０５の機能ブロック図を用いて詳細に説明する。
【００７１】
変換部１２１は、操作部３０４，３０９それぞれから出力された操作データを位置データに変換して、履歴記録部１２６と有効判定部１２３に出力する。履歴記録部１２６は、操作部３０４，３０９のそれぞれの位置データを履歴データテーブルＥに出力して、履歴データを更新する。
【００７２】
有効判定部１２３は、インターフェイス部３０２に表示されるコンテンツに応じて、それぞれの位置データが所属する操作部３０４，３０９を有効とするか又は無効とするかを判断する。ここで、例えば操作部３０４が有効な場合には、有効判定部１２３は、操作部３０４を有効とする有効信号を操作制御部１２５に出力する。一方、操作部３０９が無効な場合には、有効判定部１２３は、操作部３０９を無効とする無効信号を操作制御部１２５に出力する。
【００７３】
操作制御部１２５は、有効信号又は無効信号に基づいて、操作表示部３０３，３０８を制御する。例えば、操作制御部１２５は、有効とされた操作部３０４に対応する操作表示部３０３を第一色に点灯させる。一方、操作制御部１２５は、無効とされた操作部３０９に対応する操作表示部３０８を第二色に点灯させる。このようにして、インターフェイス部３０２に表示されるコンテンツに応じて操作部３０４，３０９を選択している。
【００７４】
図１２は、本発明の実施形態に係る入力装置で、操作表示部３０３，３０８の表示態様を制御する場合の処理手順を示すフローチャート図である。
【００７５】
（ステップＳ４１）
有効判定部１２３は、変換部１２１から出力された複数の位置データとコンテンツとを比較して、それぞれの位置データが有効か無効かを判定する。ここで、位置データが有効な場合には次のステップＳ４２に進み、位置データが無効な場合には後述するステップＳ４４に進む。
【００７６】
（ステップＳ４２）
有効判定部１２３は位置データ毎の有効信号を、操作制御部１２５に出力して、次のステップＳ４３に進む。
【００７７】
（ステップＳ４３）
操作制御部１２５は、有効判定部１２３から出力された有効信号に基づいて、有効とされた操作部３０４，３０９に対応する操作表示部３０３，３０８を第一色に点灯させる。
【００７８】
一方、ステップＳ４４では、有効判定部１２３は位置データ毎の無効信号を、操作制御部１２５に出力して、次のステップＳ４５に進む。
【００７９】
（ステップＳ４５）
操作制御部１２５は、有効判定部１２３から出力された無効信号に基づいて、無効とされた操作部３０４，３０９に対応する操作表示部３０３，３０８を第二色に点灯させる。
【００８０】
このように構成されたスマートフォン３００では、コンテンツに応じて操作部３０４，３０９を選択することができるため、利用者にとって利便性が高い。例えば、地図等の画像が表示されている場合には、上下方向に伸びる操作部３０４を操作して地図を上下方向に移動させることができるとともに、左右方向に伸びる操作部３０９を操作して地図を左右方向に移動させることができる。つまり、操作部３０４，３０９の両方を使用可能とすることで、利便性を高めることができる。
【００８１】
一方、横書きの文章が表示されている場合には、上下方向に伸びる操作部３０４を操作して文章の前後を表示させることができる。この場合には、左右方向に伸びる操作部３０９は特段必要でないため、操作部３０４のみを有効とすることで、効率良く操作することができる。
なお、インターフェイス部１０２の左右端で文章が切れてしまっている場合には、左右方向に伸びる操作部３０９を有効として、文章を左右方向に移動させて端まで表示させることもできる。
【００８２】
なお、上述した実施の形態において示した動作手順、あるいは各構成部材の諸形状や組み合わせ等は一例であって、本発明の主旨から逸脱しない範囲において設計要求等に基づき種々変更可能である。
【００８３】
例えば、操作表示部１０３は、インターフェイス部１０２の端部に設けられているが、インターフェイス部１０２に表示される画像は操作表示部１０３の内側まで表示されるものとしてもよい。または、操作表示部１０３を半透明にすることで、操作表示部１０３の部分にも画像が表示されるとしてもよい。
【００８４】
なお、操作制御部１２５は時間を計測するタイマーを備えていてもよい。この場合には、操作部１０４が所定時間操作されない際に、操作表示部１０３の有効範囲を示す点灯を消灯することができる。
【００８５】
また、第二実施形態において、操作部１０４の長さはインターフェイス部１０２の上下方向の長さと略同一と略同一の長さとされているが、本発明はこれに限られず、操作部１０４の長さはインターフェイス部１０２の上下方向の長さよりも短くてもよいし、長くてもよい。
【００８６】
また、変換部１２１は、操作部１０４をタッチやスライド操作する場合には、位置データを有効判定部１２３及び履歴記録部１２６に出力し、操作部１０４をダブルタップや押し込み操作する場合には、操作制御部１２５に操作部１０４の有効及び無効を切り替える切替信号を出力する構成としてもよい。この場合には、操作制御部１２５は切替信号に基づいて、操作表示部３０３，３０８の有効状態を示す第一色の点灯から無効状態を示す第二色の消灯に切替え、又は無効状態を示す第二色の消灯から有効状態を示す第一色の点灯に切り替えることができる。
【００８７】
また、上記に示す実施形態では、操作表示部のうち有効とされている部分を第一色に点灯させ、無効とされている部分を第二色に点灯させる例をあげて説明した。しかし、本発明はこれに限られず、有効される部分の色と無効とされる部分の色との照度、彩度、明度等を異ならせて、両者を区別してもよい。また、有効とされる部分に有効を示す文字、図形等を表示したり、無効とされる部分に無効を示す文字、図形等を表示してもよい。さらには、有効とされる部分のみに色を点灯させてもよい。
【００８８】
また、操作部１０４の操作によりインターフェイス部に表示される画像の移動範囲や、拡大・縮小範囲、図示しないスピーカーから出力される音量の調整が可能であってもよい。
【００８９】
また、上述した実施形態においては、電子機器の一例としてスマートフォンを例に挙げて説明したが、本発明はこれに限られず、携帯電話、ゲーム機器、タブレットＰＣ（Ｐｅｒｓｏｎａｌ  Ｃｏｍｐｕｔｅｒ）等の電子機器にも適用することができる。
【符号の説明】
【００９０】
１００…スマートフォン  １０１…筐体  １０２…インターフェイス部  １０３…操作表示部  １０４…操作部  １０５…制御手段  １０６…姿勢センサ  １１１…表面  １１２…裏面  １１３…上面  １１４…下面  １１５Ｒ…側面  １２１…有効範囲設定部  １２２…変換部  １２３…有効判定部  １２４…表示制御部  １２５…操作制御部  １２６…履歴記録部  Ｄ…有効データテーブル  Ｄ１…設定有効テーブル  Ｄ２…履歴有効テーブル  Ｅ…履歴データテーブル
【図１】
2014178944.tif 000003
【図２】
2014178944.tif 000004
【図３】
2014178944.tif 000005
【図４】
2014178944.tif 000006
【図５】
2014178944.tif 000007
【図６】
2014178944.tif 000008
【図７】
2014178944.tif 000009
【図８】
2014178944.tif 000010
【図９】
2014178944.tif 000011
【図１０】
2014178944.tif 000012
【図１１】
2014178944.tif 000013
【図１２】
2014178944.tif 000014